(57)【特許請求の範囲】
【請求項１】
万力台と、この万力台に対し版くわえ方向と版くわえ解放方向とに揺動するくわえ板とを有する版万力を、版胴の軸線方向に移動させる移動手段を備えた印刷機の版万力装置において、
前記くわえ板を前記万力台方向に付勢する付勢手段を備え、
前記版万力を閉じた状態で前記移動手段によって前記版万力を軸線方向に移動させたときに前記くわえ板を前記万力台方向へさらに増圧付勢する増圧付勢手段を備えたことを特徴とする印刷機の版万力装置。
【請求項２】
請求項１記載の印刷機の版万力装置において、
前記増圧付勢手段を、版胴側に設けられた係合部と、前記くわえ板側に設けられ前記係合部に係合する被係合部と、前記係合部と前記被係合部とを圧接する方向に付勢する弾性部材とによって構成したことを特徴とする印刷機の版万力装置。
【請求項３】
請求項２記載の印刷機の版万力装置において、
前記係合部は、第１の傾斜面であり、前記被係合部は、第２の傾斜面であることを特徴とする印刷機の版万力装置。
【請求項４】
請求項１記載の印刷機の版万力装置において、
前記くわえ板側または前記版胴側のどちらか一方に傾斜面を有していることを特徴とする印刷機の版万力装置。
【発明の詳細な説明】
【技術分野】
【０００１】
本発明は、印刷機の版万力装置に関し、特にファン・アウトの影響を排除するために尻側版万力を胴の軸線方向に移動させることにより見当調整することができる印刷機の版万力装置に関するものである。
【背景技術】
【０００２】
この種の印刷機においては、圧胴の爪にくわえられた紙が印刷用紙が含有する水分や表面性の不均一により、圧胴の周面上で圧力が加えられると、紙の尻側の幅がくわえ側の幅よりも扇形に拡がるか縮む現象、いわゆるファン・アウトが発生する。このファン・アウトが発生すると、多色刷りにおいては見当が合いにくくなる。したがって、ファン・アウトによる影響を排除するために、例えば、版胴の尻側版万力を版胴の軸線方向に移動調節できる構造とし、尻側版万力にくわえられた版の尻側端部の幅をファン・アウトに対応させて拡げるか、または縮めるように調整している。
【０００３】
従来の印刷機の版万力装置は、万力台が胴の軸線方向に３分割され、これら万力台が連結金具によって連結されており、連結金具のピン孔にスパナを挿入して回転操作することにより万力台が版胴の軸線方向へ移動し微調整できるものがある（例えば、特許文献１参照）。
【特許文献１】特開２０００−６３７３号公報（段落「００１２」および「００１９」、図１および図２）
【発明の開示】
【発明が解決しようとする課題】
【０００４】
上述した従来の印刷機の版万力装置においては、万力台とくわえ板とによって版の尻側端部をくわえた状態で尻側版万力を版胴の軸線方向に移動させるときに、くわえ板によって版の尻側端部をくわえさせる方向に付勢している付勢手段の付勢力を増大するような構造になっていない。したがって、尻側版万力を版胴の軸線方向に移動させるとき、くわえ板によるくわえ力が不足して尻側版万力と版の尻側端部の間に滑りが発生することがある。このため、尻側版万力を軸線方向に移動させても版の尻側端部の幅をファン・アウトに対応させて拡げるか、または縮めるような調整を的確にできないという問題があった。
【０００５】
本発明は上記した従来の問題に鑑みなされたものであり、その目的とするところは、版の尻側端部の幅をファン・アウトに対応させて拡げるかは縮めるような調整を確実に行える印刷機の版万力装置を提供するところにある。
【課題を解決するための手段】
【０００６】
この目的を達成するために、請求項１に係る発明は、万力台と、この万力台に対し版くわえ方向と版くわえ解放方向とに揺動するくわえ板とを有する版万力を、版胴の軸線方向に移動させる移動手段を備えた印刷機の版万力装置において、前記くわえ板を前記万力台方向に付勢する付勢手段を備え、前記版万力を閉じた状態で前記移動手段によって前記版万力を軸線方向に移動させたときに前記くわえ板を前記万力台方向へさらに増圧付勢する増圧付勢手段を備えたものである。
【０００７】
請求項２に係る発明は、請求項１に係る発明において、前記増圧付勢手段を、版胴側に設けられた係合部と、前記くわえ板側に設けられ前記係合部に係合する被係合部と、前記係合部と前記被係合部とを圧接する方向に付勢する弾性部材とによって構成したものである。
【０００８】
請求項３に係る発明は、請求項２に係る発明において、前記係合部は、第１の傾斜面であり、前記被係合部は、第２の傾斜面である。
【０００９】
請求項４に係る発明は、請求項１に係る発明において、前記くわえ板側または前記版胴側のどちらか一方に傾斜面を有している。
【発明の効果】
【００１０】
本発明によれば、版万力が版をくわえた状態で版万力を軸線方向へ移動させたときにくわえ板を万力台方向へさらに増圧付勢することができるから、くわえ板によるくわえ力が不足して尻側版万力と版の尻側端部の間に滑りが発生するようなことがない。このため、版の尻側端部の幅をファン・アウトに対応させて拡げるか、または縮めるような調整を確実に行うことができる。
【発明を実施するための最良の形態】
【００１１】
以下、本発明の実施の形態を図に基づいて説明する。図１は本発明に係る印刷機の版万力装置が実施された版胴の上半分を示す断面図、図２は同じく版胴の切欠きに装着された版万力装置の左側半分を示す平面図、図３は図２におけるIII-III 線断面図、図４は図２におけるIV-IV 線断面図、図５は図２におけるV-V 線断面図、図６は図５におけるVI-VI 線断面図、図７は図６におけるVII-VII 線断面図、図８は図６におけるVIII-VIII 線断面図、図９は図２おける要部の拡大図である。
【００１２】
図１において、全体を符号１で示す版胴の外周部には、断面が略長方形状を呈し底面２ａを山形状に形成された切欠き２が、胴の略全長にわたって設けられており、この切欠き２の両端開口は、円板状に形成されたベアラ３，３で閉塞されている。５は版胴１の軸線方向の全体にわたって設けられたくわえ側版万力であって、断面が略正方形状に形成され版胴１の軸線方向に延在する万力台６と、四つに分割されたくわえ板７とによって構成されている。この万力台６は、図示しない調節装置により切欠き２の底面に沿って版胴１の円周方向へ移動調節できるように構成されている。
【００１３】
四つに分割されたくわえ板７は平面視矩形状で全長が万力台６と略同長に形成されており、各くわえ板７は、支持ブロック８に設けられた水平方向に突出するピン８ａによって揺動自在に支持されている。各くわえ板７は、カム軸９を駆動装置によって回動することにより、カム軸９のカム部の作用で、各くわえ板７が揺動して万力台６のくわえ面６ａに対してくわえ板７のくわえ面７ａが開閉するように構成されている。
【００１４】
次に、図１ないし図３を用いて、三つに分割された尻側版万力１０Ａないし１０Ｃについて説明する。これら尻側版万力１０Ａないし１０Ｃのうち、中央の尻側版万力１０Ｂは版胴１に対して版胴１の軸線方向（矢印Ａ−Ｂ方向）の移動が規制された状態で設けられ、左右の尻側版万力１０Ａ，１０Ｃ（一方の尻側版万力１０Ｃは図示を省略）は版胴１の軸線方向（矢印Ａ−Ｂ方向）に移動自在に設けられている。したがって、上記以外の構造はいずれも同一の構造を有しているので、ここでは尻側版万力１０Ａについてのみ説明し、必要に応じて他の尻側版万力１０Ｂ，１０Ｃについても説明する。
【００１５】
図１および図２において、１０Ａはくわえ側版万力５と平行に切欠き２内に設けられた尻側版万力であって、断面が略長方形状に形成され版胴１の軸線方向に延在する万力台１１と、くわえ板１２とによって構成されている。また、この尻側版万力１０Ａは、くわえ板１２と矢印Ａ−Ｂ方向に略同じ長さに形成され切欠き２の底面２ａに固定された固定部材としてのばね受けバー１３を備えている。このばね受けバー１３は版胴１の半径方向に延設された端面１３ａを備えており、この端面１３ａと切欠き２の壁面２ｂとの間には、支持軸１４が左右のベアラ３，３方向に延設されている。
【００１６】
上記した万力台１１とくわえ板１２とは、版胴１の半径方向に延在するくわえ面１１ａ，１２ａを互いに対向させて、これらくわえ面１１ａ，１２ａが離間・接近するように、支持軸１４を揺動支点として連結されている。また、万力台１１とくわえ板１２とは切欠き２の円周方向へわずかに移動調整できるように構成されている。切欠き２の壁面２ｂに形成された凹部２ｃ内には、平面状に形成された小径部１５ａと円弧状に形成された大径部１５ｂとで棒状に形成されたカム軸１５が版胴１に回動自在に支持されている。１６は尻側版万力１０が脱落するのを防止するガイドであって、切欠き２の壁面２ａの凹部２ｃに固定されている。
【００１７】
図１において、１８はばね受けバー１３のばね孔１３ｂ内に摺動自在に設けられ、ダブルナットによって移動端限が規制されたばね軸であって、このばね軸１８の鍔部１８ａとばね孔１３ｂの底面との間には、くわえ板１２をばね受けバー１３から離間させる方向に付勢する付勢手段としての圧縮コイルばね１９が弾装されている。図３において、２０は万力台１１のばね孔内の底面とくわえ板１２との間に弾装された圧縮コイルばねであって、万力台１１をくわえ板１２から離間させる方向に付勢している。
【００１８】
次に、図３を用いて、カム１５を支点に尻側版万力１０を版張り方向に付勢する弾性部材と、弾性部材による付勢力を調整する調整手段について説明する。ばね受けバー１３には、同図に示すように版胴１の半径方向に貫通する貫通孔１３ｂと、この貫通孔１３ｂと直交するばね孔１３ｃとが設けられている。２５は貫通孔１３ｂに回転可能に支持された調整手段としての調整ピンであって、貫通孔１３ｂから突出し、ばね孔１３ｃに臨む下端部に軸芯からδだけ偏心した偏心カム部２５ａが設けられており、この偏心カム部２５ａにはばね受け２６が嵌合されている。２７はばね受け２６と万力台１１の下部側に設けられたばね孔１１ｂの底面との間に弾装された圧縮コイルばねであって、カム１５を支点に尻側版万力１０を版張り方向（図中矢印Ｃ方向）に付勢している。
【００１９】
次に、図５ないし図８を用いて、尻側版万力１０Ａ，１０Ｂ間に設けられ、版の尻側端部を版の幅方向に伸縮させる見当調整装置３０について説明する。なお、図示を省略しているが、尻側版万力装置１０Ｂ，１０Ｃ間にも同じ構造の見当調整装置３０が設けられている。見当調整装置３０は、図６に示すように、尻側版万力１０Ａ，１０Ｂの版万力１１，１１に跨って設けられた支持部材３１と、この支持部材３１の孔３１ａに嵌挿されたボルト３２と、このボルト３２に螺合するブロック３３とによって概ね構成されている。
【００２０】
互いに隣接する尻側版万力１０Ａ，１０Ｂの版万力１１，１１には、図７に示すように互いに対向する非貫通孔１１ｃ，１１ｃが設けられ、これら非貫通孔１１ｃ，１１ｃに嵌挿された軸３４を介して、尻側版万力１０Ａが尻側版万力１０Ｂに対して矢印Ａ−Ｂ方向に移動自在となっている。また、尻側版万力１０Ａ，１０Ｂの各万力台１１，１１の矢印Ｃ方向の端面には、図６および図７に示すように、矢印Ａ−Ｂ方向に延在する細長い長方形に形成された嵌合溝１１ｄ，１１ｄが設けられているとともに、図６に示すように上方に向かって互いに漸次離間する傾斜溝１１ｅ，１１ｅが設けられている。
【００２１】
支持部材３１は偏平な直方体状に形成されており、中央部に設けた膨出部に孔３１ａが形成され、両端部に厚みの薄い一対の支持片３１ｂ，３１ｂが設けられている。この支持部材３１は、尻側版万力１０Ａ，１０Ｂの版万力１１，１１の嵌合溝１１ｄ，１１ｄに嵌合され、各嵌合溝１１ｄ，１１ｄの底面にねじで取り付けられた押え片３５，３５と、嵌合溝１１ｄ，１１ｄの底面とによって支持片３１ｂ，３１ｂが挟持されている。このように尻側版万力１０Ｂの版万力１１に取り付けられた支持部材３１の孔３１ａは版胴１の半径方向に延在している。
【００２２】
したがって、この支持部材３１の孔３１ａに嵌挿されているボルト３２は、頭部３２ａが常に版胴１の半径方向を指向しており、このボルト３２は、図６に示すようにボルト３２に軸着されたスリーブ３６によって、支持部材３１に対して軸線方向への移動が規制されている。
【００２３】
ブロック３３は、図８に示すように中央部にねじ部３３ａが設けられ、両端部には、図６に示すように上方に向かって互いに漸次離間するように上下に延在し、尻側版万力１０Ａ，１０Ｂの各版万力１１，１１の傾斜溝１１ｅ，１１ｅに嵌合される一対の凸条体３３ｂ，３３ｂが設けられている。また、このブロック３３は、図８に示すようにボルト３７でこのブロック３３に取り付けられた抜け止め片３８によって、傾斜溝１１ｅ，１１ｅから凸条体３３ｂ，３３ｂが抜けを規制されるようにして、万力台１１，１１に上下方向に摺動自在に支持されている。
【００２４】
このように万力台１１，１１に支持されたブロック３３のねじ部３３ａには、上記したボルト３２が螺合している。したがって、ボルト３２を回転させることにより、ブロック３３は上下に移動し、凸条体３３ｂ，３３ｂと傾斜溝１１ｅ，１１ｅとの互いの傾斜面どうしのテーパーの作用により、尻側版万力１０Ａの版万力１１が尻側版万力１０Ｂの版万力１１に対して矢印Ａ−Ｂ方向に移動する。
【００２５】
次に、図２、図４および図９を用いて、尻側版万力１０Ａ，１０Ｃを版の幅方向に移動させたときに、くわえ板による版のくわえ力を増大させる増圧付勢手段４０について説明する。増圧付勢手段４０は、図２に示すように尻側版万力１０Ａの矢印Ａ方向の端部と，尻側版万力１０Ｃの矢印Ｂ方向の端部（尻側版万力１０Ｃ側は図示を省略）のそれぞれに設けられている。
【００２６】
この増圧付勢手段４０は、ばね受けバー１３に設けた係合部材４１と、この係合部材４１をくわえ板１２側に付勢する弾性部材として皿ばね４２と、くわえ板１２に設けた被係合部としての第２の傾斜面１２ｂおよび平坦面１２ｃとによって概ね構成されている。ばね受けバー１３の端面１３ａには、図９に示すように係合部材４１および皿ばね４２を収納する凹部１３ｄが設けられており、この凹部１３ｄの底部の中央部には、ばね受けバー１３を貫通する貫通孔１３ｅが設けられている。
【００２７】
係合部材４１の底面の両端部には、図９に示すように端部側に向かって矢印Ｃ方向に漸次傾斜した係合部としての第１の傾斜面４１ａ，４１ａが設けられており、くわえ板１２の反万力台側の一面には、これら第１の傾斜面４１ａが対接する一対の第２の傾斜面１２ｂ，１２ｂとこれら第２の傾斜面１２ｂ，１２ｂ間に設けられた平坦面１２ｃとが設けられている。係合部材４１は、ばね受けバー１３の凹部１３ｄ内に収納され、万力台１２側への移動端限が規制されるように、ばね受けバー１３の貫通孔１３ｅを挿通させたボルト４３が螺合されている。この状態で、係合部材４１と凹部１３ｄの底面との間に皿ばね４２，４２が弾装されており、この皿ばね４２の弾発力によって、第１の傾斜面４１ａが第２の傾斜面１２ｂに対接する方向に付勢されている。この状態から、後述するように見当調整装置３０を操作して尻側版万力１０Ａを矢印Ａ−Ｂ方向に移動させると、係合部材４１の第１の傾斜面４１ａがくわえ板１２の平坦面１２ｃに向かって移動することにより、第２の傾斜面１２ｂと第１の傾斜面４１ａとの傾斜面どうしのテーパーの作用によって皿ばね４２が圧縮され、くわえ板１２の矢印Ｃ方向への押圧力が増大する。したがって、くわえ板１２のくわえ面１２ａと万力台１１のくわえ面１１ａとによる版に対するくわえ力が増大する。
【００２８】
次に、このような構成の印刷機の版万力装置において、版の見当調整を行う動作について説明する。先ず、尻側版万力にくわえられた版の尻側端部の幅を拡げるか、または縮める見当調整について説明する。図１において、くわえ側版万力５の万力台６およびくわえ板７のそれぞれのくわえ面６ａ，７ａとの間に版のくわえ側端部を挿入し、図示を省略した駆動装置によってカム軸９を回動させることにより、万力台６のくわえ面６ａに対してくわえ板７のくわえ面７ａを閉じ版のくわえ側端部をくわえる。次いで、版胴を略１回転させ、版の尻側端部を尻側版万力１０Ａ，１０Ｂ，１０Ｃの万力台１１およびくわえ板１２のそれぞれのくわえ面１１ａ，１２ａとの間に版の尻側端部を挿入する。
【００２９】
図示を省略した駆動装置によってカム軸１５を回動させることにより、図３に示すように大径部１５ｂによって圧縮コイルばね２０の弾発力に抗して万力台１１を図中時計方向に回動させ、万力台１１のくわえ面１１ａに対してくわえ板１２のくわえ面１２ａを閉じ版の尻側端部をくわえる。さらに、カム軸１５を時計方向に回動させると、尻側版万力１０Ａ，１０Ｂ，１０Ｃの万力台１１およびくわえ板１２は版の尻側端部をくわえたまま矢印Ｃ方向にわずかに移動するので、版は天地方向に引っ張られ緊張した状態で版胴１の周面に装着される。
【００３０】
ここで、尻側版万力１０Ａないし１０Ｄにくわえられた版の尻側端部の幅を拡げる見当調整が必要な場合は、ボルト３２を一方向に回転操作することにより、図６においてボルト３２が螺合しているブロック３３が図中上方に移動する。この移動により、ブロック３３の凸条体３３ｂ，３３ｂとこれと係合している傾斜溝１１ｅ，１１ｅとの互いの傾斜面どうしのテーパーの作用により、尻側版万力１０Ａの版万力１１が尻側版万力１０Ｂの版万力１１に対して矢印Ａ方向に移動し、版の尻側端部の幅を拡げる見当調整が行われる。
【００３１】
この見当調整は、ボルト３２の頭部３２ａが常に版胴１の半径方向を指向していることにより、連続して行うことができるから、操作性が向上し調整時間も短縮することができる。また、この見当調整によって尻側版万力１０Ａの版万力１１矢印Ａ方向に移動させると、上述したように、図９において係合部材４１の第１の傾斜面４１ａがくわえ板１２の平坦面１２ｃに向かって移動する。したがって、第２の傾斜面１２ｂと第１の傾斜面４１ａとの互いの傾斜面どうしのテーパーの作用によって皿ばね４２が圧縮され、くわえ板１２の矢印Ｃ方向への押圧力が増大する。このため、版をくわえているくわえ板１２のくわえ面１２ａと万力台１１のくわえ面１１ａとくわえられている版との間で滑りが発生するようなことがない。
【００３２】
一方、尻側版万力１０Ａないし１０Ｄにくわえられた版の尻側端部の幅を縮める見当調整が必要な場合は、ボルト３２を他方向に回転操作することにより、図６においてボルト３２が螺合しているブロック３３が図中下方に移動する。この移動により、ブロック３３の凸条体３３ｂ，３３ｂとこれと係合している傾斜溝１１ｅ，１１ｅとの互いの傾斜面どうしのテーパーの作用により、尻側版万力１０Ａの版万力１１が尻側版万力１０Ｂの版万力１１に対して矢印Ｂ方向に移動し、版の尻側端部の幅を縮める見当調整が行われる。
【００３３】
この見当調整のときも、尻側版万力１０Ａの版万力１１を矢印Ｂ方向に移動させると、図９において係合部材４１の第１の傾斜面４１ａがくわえ板１２の平坦面１２ｃに向かって移動する。したがって、第２の傾斜面１２ｂと第１の傾斜面４１ａとの互いの傾斜面どうしのテーパー作用によって皿ばね４２が圧縮され、くわえ板１２の矢印Ｃ方向への押圧力が増大する。このため、版をくわえているくわえ板１２のくわえ面１２ａと万力台１１のくわえ面１１ａとくわえられている版との間で滑りが発生するようなことがない。
【００３４】
ここで、版の天地方向を拡げる見当調整が必要になった場合は、図３に示すように調整ピン２５を回動させ、偏心カム部２５ａによってばね受け２６を介して万力台１１を付勢する圧縮コイルばね２７の付勢力を増大または減少させる。圧縮コイルばね２７の付勢力を増大または減少させることによって、カム軸１５を支点として万力台１１を図中矢印Ｃ−Ｄ方向へわずかに移動させることができるから、版を天地方向に拡げるまたは縮める見当調整が行われる。この見当調整は、頭部２５ａが版胴の半径方向を指向した調整ピン２５の回動操作によって行うことができるから、操作が簡単で短時間で行うことができる。
【００３５】
なお、本発明の実施の形態においては、係合部材４１の第１の傾斜面４１ａとこれと係合するくわえ板１２の第２の傾斜面１２ｂとを共に傾斜面に形成したが、少なくともいずれか一方を傾斜面とすればよい。また、本発明の実施の形態においては、くわえ板１２の矢印Ｃ方向への押圧力を増大させるのに、第１および第２の傾斜面４１ａ，１２ｂの互いの傾斜面どうしのテーパーの作用によって行うようにしたが、互いに円弧状のカム形状としてもよい。
【図面の簡単な説明】
【００３６】
【図１】本発明に係る印刷機の版万力装置が実施された版胴の上半分を示す断面図である。
【図２】本発明に係る印刷機の版万力装置が実施された版胴の切欠きに装着された版万力装置の左側半分を示す平面図である。
【図３】図２におけるIII-III 線断面図である。
【図４】図２におけるIV-IV 線断面図である。
【図５】図２におけるV-V 線断面図である。
【図６】図５におけるVI-VI 線断面図である。
【図７】図６におけるVII-VII 線断面図である。
【図８】図６におけるVIII-VIII 線断面図 である。
【図９】図２おける要部の拡大図である。
【符号の説明】
【００３７】
１…版胴、２…切欠き、３…ベアラ、５…くわえ側版万力、１０…尻側版万力、１１…万力台、１１ａ，１２ａ…くわえ面、１２ｂ…第２の傾斜面（被係合部）１１ｅ…傾斜溝、１２…くわえ板、１３…ばね受けバー（固定部材）、１５…カム軸、２５…調整ピン、２７…圧縮コイルばね（付勢手段）、３０…見当調整装置、３１…支持部材、３２…ボルト、３３…ブロック、３３ｂ…凸条体、４０…増圧付勢手段、４１…係合部材、４１ａ…第１の傾斜面（係合部）４２…皿ばね。
【図１】
0004682012.tif 000002
【図２】
0004682012.tif 000003
【図３】
0004682012.tif 000004
【図４】
0004682012.tif 000005
【図５】
0004682012.tif 000006
【図６】
0004682012.tif 000007
【図７】
0004682012.tif 000008
【図８】
0004682012.tif 000009
【図９】
0004682012.tif 000010